(57)【要約】  本発明に係るピットカバーシステムは、ピット（２０）の上面部に配設された開口部を塞ぐことが可能な移動式のピットカバーシステムである。そして、本発明に係るピットカバーシステムは、ピット内部に、垂直方向に配置されることが可能な複数の垂直配設ピットカバー片（２）と、垂直配設ピットカバー片（２）を、垂直方向に移動させることが可能な第一のピットカバー移動装置（１５）と、最上部に位置する垂直配設ピットカバー（２）を、開口部を塞ぐように、水平方向に押し出すことが可能な第二のピットカバー移動装置（１６）とを、備えている。
2014196025.tif 000002
【特許請求の範囲】
【請求項１】
ピット（２０）の上面部に配設された開口部を塞ぐことが可能な移動式のピットカバーシステムであって、
前記ピットの前記上面部位置から前記ピット内部方向に沿って、垂直方向に配置されることが可能な複数のピットカバー片（２）と、
前記垂直方向に配設される前記複数のピットカバー片を、前記垂直方向に移動させることが可能な、第一のピットカバー移動装置（１５）と、
前記垂直方向に配置されている前記複数のピットカバー片のうち、最上部に位置する前記ピットカバー片を、前記開口部を塞ぐように、前記垂直方向に対して直角な方向である水平方向に押し出すことが可能な、第二のピットカバー移動装置（１６）とを、備えている、
ことを特徴とするピットカバーシステム。
【請求項２】
（Ａ）前記第二のピットカバー移動装置は、前記最上部に位置する前記ピットカバー片を前記水平方向に押し出し、
（Ｂ）前記（Ａ）の後に、前記第一のピットカバー移動装置は、前記垂直方向に配設される前記複数のピットカバー片を上方向に移動させる、
ことを特徴とする請求項１に記載のピットカバーシステム。
【請求項３】
前記ピットカバー片は、
前記ピットの前記上面部位置から前記ピット内部方向に沿って、前記垂直方向に、積み重なって配置されており、
前記第一のピットカバー移動装置は、
前記積み重なっている前記ピットカバー片を、上方向に移動させることができる第一のシリンダー（１５）であり、
前記第二のピットカバー移動装置は、
前記積み重なっている前記ピットカバー片のうち、前記最上部に位置する前記ピットカバー片を、前記水平方向に押し出すことができる第二のシリンダー（１６）である、
ことを特徴とする請求項２に記載のピットカバーシステム。
【請求項４】
前記第一のピットカバー移動装置は、
前記垂直方向に所定の間隔だけ隔てて配設されている複数の第一の載置部（ｍ１）を有する櫛状の第一の保持部（１５Ａ，１５Ｂ，１５Ｃ，１５Ｄ）と、
前記垂直方向に所定の間隔だけ隔てて配設されている複数の第二の載置部（ｎ１）を有する櫛状であり、前記第一の保持部に隣接して配置される第二の保持部（１５Ｈ，１５Ｌ）と、
前記第一の保持部を移動させることが可能な第一の保持部移動装置と、
前記第二の保持部を移動させることが可能な第二の保持部移動装置とを、有しており、
前記垂直方向に配置されている前記複数の前記ピットカバー片において、各前記ピットカバー片は、
前記第一の載置部および前記第二の載置部の少なくとも一方に載置されている、
ことを特徴とする請求項２に記載のピットカバーシステム。
【請求項５】
（ａ）前記第一の載置部および前記第二の載置部の両方において、前記ピットカバー片が保持されている状態において、前記第一の保持部移動装置は、前記第一の保持部を、前記第一の載置部による前記ピットカバー片の載置を解消する方向に移動させ、
（ｂ）前記（ａ）の後、前記第二の保持部移動装置は、前記第二の載置部により前記ピットカバー片が保持されている状態で、前記第二の保持部を前記上方向に移動させ、
（ｃ）前記（ｂ）の後、前記第一の保持部移動装置は、前記第一の保持部を、前記第一の載置部により前記ピットカバー片を載置できる方向に移動させる、
ことを特徴とする請求項４に記載のピットカバーシステム。
【請求項６】
（ｄ）前記（ｃ）の後、前記第二の保持部移動装置は、前記第二の保持部を、前記第二の載置部による前記ピットカバー片の載置を解消する方向に移動させ、
（ｅ）前記（ｄ）の後、前記第二の保持部移動装置は、前記第二の保持部を下方向に移動させ、
（ｆ）前記（ｅ）の後、前記第二の保持部移動装置は、前記第二の保持部を、前記第二の載置部により前記ピットカバー片を載置できる方向に移動させる、
ことを特徴とする請求項５に記載のピットカバーシステム。
【請求項７】
前記第二のピットカバー移動装置は、
垂直方向に配置される前記複数のピットカバー片のうち、前記最上部に位置する前記ピットカバー片を、前記水平方向に押し出すことができるシリンダーであり、
ことを特徴とする請求項４に記載のピットカバーシステム。
【発明の詳細な説明】
【技術分野】
【０００１】
本発明は、ピットの上面部に配設された開口部を塞ぐことが可能な移動式のピットカバーシステムに関するものであり、たとえば、シャシーダイナモメータ装置が内部に配設されているピットに対して適用することができる。
【背景技術】
【０００２】
一般に、シャシーダイナモメータ装置はピット内に収納されており、ピットの上面部には開口部が配設されている。当該開口部からは、試験対象である自動車の車輪を乗せるためのローラの一部が露出している。当該開口部を塞ぐことができる移動式のピットカバーとしては、たとえば特許文献１に開示されているものが存在する。【０００３】
特許文献１に開示されている技術では、複数の単位ピットカバーを係合部材を介して連接し、各単位ピットカバーにはガイドレール上を回動するガイドローラを設けている。ガイドレールの一端は、傾斜部となっており、ピット内に設けられた収納部上にまで延設され、ガイドレールを外れた単位ピットカバーはこの収納部に収納される。収納部にはシリンダーが設けられ、単位ピットカバーを持ち上げることによって移動ピットカバーとして連接されるよう構成される。また、係合部材により連結された単位ピットカバーは、先頭に位置する単位ピットカバーを引張る事により、前記開口部が塞がれる。
【先行技術文献】
【特許文献】
【０００４】
【特許文献１】特開２００２−１１６１１８号公報
【発明の概要】
【発明が解決しようとする課題】
【０００５】
上記のように、特許文献１に係る技術では、係合部材により各単位ピットカバーを連結させ、先頭単位ピットカバーを引張ることより、複数の連結された単位ピットカバーにより、開口部を塞ぐ構成を取っている。これにより、特許文献１に係る技術では、構成が複雑化しており、係合部材による連結処理または連結解除処理が正常に行われない事態も度々発生することが想定される。【０００６】
また、特許文献１に係る技術では、ピット上面から、当該ピット上面よりも低い位置に存する収納部に導く傾斜部が設けられている。これにより、傾斜部の分だけピット内部に余分なスペースを設ける必要が有る。また、収納部とピット上面との間に空洞が生じるので、当該収納部上方のピット上面部の強度が低下する。【０００７】
つまり、特許文献１に係る技術では、構成の複雑化、動作の不安定、ピット容積の拡大およびピット上面の強度低下などといった問題を有していた。【０００８】
そこで、本発明は、安定した動作を実現でき、ピット容量の拡大化を防止でき、ピット上面の強度を維持することができる、単純な構成の移動式のピットカバーシステムを提供することを目的とする。
【課題を解決するための手段】
【０００９】
上記の目的を達成するために、本発明に係るピットカバーシステムは、ピットの上面部に配設された開口部を塞ぐことが可能な移動式のピットカバーシステムであって、前記ピットの前記上面部位置から前記ピット内部方向に沿って、垂直方向に配置されることが可能な複数のピットカバー片と、前記垂直方向に配設される前記複数のピットカバー片を、前記垂直方向に移動させることが可能な、第一のピットカバー移動装置と、前記垂直方向に配置されている前記複数のピットカバー片のうち、最上部に位置する前記ピットカバー片を、前記開口部を塞ぐように、前記垂直方向に対して直角な方向である水平方向に押し出すことが可能な、第二のピットカバー移動装置とを、備えている。
【発明の効果】
【００１０】
本発明に係るピットカバーシステムは、ピットの上面部に配設された開口部を塞ぐことが可能な移動式のピットカバーシステムであって、前記ピットの前記上面部位置から前記ピット内部方向に沿って、垂直方向に配置されることが可能な複数のピットカバー片と、前記垂直方向に配設される前記複数のピットカバー片を、前記垂直方向に移動させることが可能な、第一のピットカバー移動装置と、前記垂直方向に配置されている前記複数のピットカバー片のうち、最上部に位置する前記ピットカバー片を、前記開口部を塞ぐように、前記垂直方向に対して直角な方向である水平方向に押し出すことが可能な、第二のピットカバー移動装置とを、備えている。【００１１】
したがって、本発明に係るピットカバーシステムでは、単純な構成により、安定した動作を実現することができる。また、本発明に係るピットカバーシステムでは、ピットカバー片は、ピット内からピットの上面（床面）に渡って、直角に配設されている。したがって、ピットカバー片を床下に収納させるための余分なスペースを省略でき、ピットの縮小化が可能となる。また、本発明に係るピットカバーシステムでは、床面と垂直配設ピットカバー片との間に空隙が生じない。したがって、本発明に係るピットカバーシステムでは、ピット上面の強度を維持することができる。【００１２】
この発明の目的、特徴、局面、および利点は、以下の詳細な説明と添付図面とによって、より明白となる。
【図面の簡単な説明】
【００１３】
【図１】本発明に係るピットカバーシステムおよびシャシーダイナモメータ装置を含むシステムの全体構成を示す上面図である。
【図２】本発明に係るピットカバーシステムおよびシャシーダイナモメータ装置を含むシステムの全体構成を示す断面図である。
【図３】実施の形態１に係るピットカバーシステムの構成を示す斜視図である。
【図４】実施の形態１に係るピットカバーシステムの動作を説明するための図である。
【図５】実施の形態１に係るピットカバーシステムの動作を説明するための図である。
【図６】実施の形態２に係るピットカバーシステムの構成を示す斜視図である。
【図７】第一の保持部１５Ａ，１５Ｂ，１５Ｃ，１５Ｄの構成を示す拡大断面図である。
【図８】第二の保持部１５Ｈ，１５Ｌの構成を示す拡大断面図である。
【図９】実施の形態２に係るピットカバーシステムの動作を説明するための図である。
【図１０】実施の形態２に係るピットカバーシステムの動作を説明するための図である。
【図１１】実施の形態２に係るピットカバーシステムの動作を説明するための図である。
【図１２】実施の形態２に係るピットカバーシステムの動作を説明するための図である。
【図１３】実施の形態２に係るピットカバーシステムの動作を説明するための図である。
【図１４】実施の形態２に係るピットカバーシステムの動作を説明するための図である。
【図１５】実施の形態２に係るピットカバーシステムの動作を説明するための図である。
【図１６】実施の形態２に係るピットカバーシステムの動作を説明するための図である。
【図１７】実施の形態２に係るピットカバーシステムの動作を説明するための図である。
【図１８】実施の形態２に係るピットカバーシステムの動作を説明するための図である。
【図１９】実施の形態２に係るピットカバーシステムの動作を説明するための図である。
【図２０】実施の形態２に係るピットカバーシステムの動作を説明するための図である。
【図２１】実施の形態２に係るピットカバーシステムの動作を説明するための図である。
【図２２】実施の形態２に係るピットカバーシステムの動作を説明するための図である。
【図２３】実施の形態２に係るピットカバーシステムの動作を説明するための図である。
【図２４】実施の形態２に係るピットカバーシステムの動作を説明するための図である。
【図２５】実施の形態２に係るピットカバーシステムの動作を説明するための図である。
【図２６】実施の形態２に係るピットカバーシステムの動作を説明するための図である。
【図２７】実施の形態２に係るピットカバーシステムの動作を説明するための図である。
【図２８】実施の形態２に係るピットカバーシステムの動作を説明するための図である。
【図２９】実施の形態２に係るピットカバーシステムの動作を説明するための図である。
【発明を実施するための形態】
【００１４】
まず、本発明に係るピットカバーシステムおよびピット内に配置されているシャシーダイナモメータ装置を有する、全体構成ついて説明する。図１は、当該全体構成の上面図であり、図２は、当該全体構成の断面図である。
【００１５】
図２に示すように、床面３０（図１では、床面３０の図示は省略している）の下に、空洞部であるピット２０が設けられている。そして、当該ピット内には、シャシーダイナモメータ装置１０Ａ，１０Ｂが配設されている。
【００１６】
ここで、図１，２に示すように、ピット２０の底面部には、複数のレール４が図１，２の左右方向に延設されており、一方のシャシーダイナモメータ装置１０Ａは、当該レール４上を移動することができる（つまり、図１，２の左右方向に移動可能である）。これに対して、他方のシャシーダイナモメータ装置１０Ｂは、ピット２０内の底面に固定されている。
【００１７】
なお、シャシーダイナモメータ装置１０Ａ，１０Ｂの上面と床面３０とは面一となっており、シャシーダイナモメータ装置１０Ａ，１０Ｂの上面部からはローラ１が露出している。ここで、当該露出している各ローラ１上に、試験対象の自動車のタイヤが載置される。
【００１８】
また、図１，２に示すように、複数のピットカバー片２が配設されている。図１，２に示す構成例では、ピット２０の上面部（床面３０）位置からピット２０内部方向に沿って、垂直方向（図２の上下方向）に、複数のピットカバー片２が配置されていると共に、当該垂直方向に対して直角な方向である水平方向（図１，２の左右方向）に、複数のピットカバー片２が配設されている。
【００１９】
図１，２の構成例において、当該水平方向に配設されているピットカバー片２が配設されていない状態では、ピット２０の上面部は開口されている（つまり、開口部が配設される）。したがって、当該開口部を塞ぐように、水平方向に複数のピットカバー片２が配設されている。ここで、水平方向に配設されている複数のピットカバー片２の上面と床面３０とは面一となっている。よって、水平方向に配設されている複数のピットカバー片２の上面とシャシーダイナモメータ装置１０Ａ，１０Ｂの上面と床面３０とは、面一となっている。
【００２０】
図２において、垂直方向に配設されているピットカバー片２は、当該垂直方向に移動可能である。また、図１，２に示すように、ピット２０の上面側には、複数のレール３が図１，２の左右方向に延設されており、当該レール３に沿って、水平方向に配設されているピットカバー片２は、図１，２の左右方向に移動可能である。
【００２１】
上記の通り、シャシーダイナモメータ装置１０Ｂは固定されているが、シャシーダイナモメータ装置１０Ａは、図１，２の左右方向に移動可能である。たとえば、試験対象である自動車のサイズにより、タイヤの位置（つまり、前タイヤと後タイヤとの間隔）が異なる。そこで、試験対象の自動車のサイズが異なる場合には、シャシーダイナモメータ装置１０Ｂを固定しつつ、シャシーダイナモメータ装置１０Ａを図１，２の左右方向に移動させる。
【００２２】
次に、ピット２０の上面部に配設された開口部を塞ぐことが可能な移動式のピットカバーシステムの動作について説明する。
【００２３】
ここで、図２において、シャシーダイナモメータ装置１０Ａの両サイドに、垂直方向に配設されているピットカバー片２が存する。シャシーダイナモメータ装置１０Ａとシャシーダイナモメータ装置１０Ｂとの間に存する、垂直方向に配設されている複数のピットカバー片２を（つまり、シャシーダイナモメータ装置１０Ａの右側位置する、垂直方向に配設されている複数のピットカバー片２を）、一方の垂直配設ピットカバー片２と称する。これに対して、シャシーダイナモメータ装置１０Ａの左側位置する、垂直方向に配設されている複数のピットカバー片２を、他方の垂直配設ピットカバー片２と称する。
【００２４】
また、図１，２において、シャシーダイナモメータ装置１０Ａの両サイドに、水平方向に配設されているピットカバー片２が存する。シャシーダイナモメータ装置１０Ａとシャシーダイナモメータ装置１０Ｂとの間に存する、水平方向に配設されている複数のピットカバー片２を（つまり、シャシーダイナモメータ装置１０Ａの右側位置する、水平方向に配設されている複数のピットカバー片２を）、一方の水平配設ピットカバー片２と称する。これに対して、シャシーダイナモメータ装置１０Ａの左側位置する、水平方向に配設されているピットカバー片２を、他方の水平配設ピットカバー片２と称する。
【００２５】
たとえば、図１，２において、シャシーダイナモメータ装置１０Ａを右側（つまり、シャシーダイナモメータ装置１０Ｂ側）に移動させる場合について説明する。この場合、一方の垂直配設ピットカバー片２を、図２の下側に、一つのピットカバー片２の厚さ分だけ移動させる。そうすると、一方の垂直配設ピットカバー片２において、最上部に、一つのピットカバー片２の厚さ分だけの凹部が生じる。
【００２６】
次に、レール４に沿って、シャシーダイナモメータ装置１０Ａを、ピットカバー片２の一つ分だけ、図１，２の右方向に移動させる。そうすると、当該シャシーダイナモメータ装置１０Ａの移動に伴い、当該シャシーダイナモメータ装置１０Ａに押されて、また隣接する一方の水平配設ピットカバー片２同士は、隣に位置するピットカバー片２に押されて、一方の水平配設ピットカバー片２は各々、ピットカバー片２の一つ分だけ、図１，２の右方向に移動する。ここで、当該一方の水平配設ピットカバー片２の移動は、レール３に沿って実行される。
【００２７】
一方の垂直配設ピットカバー片２の最上部において形成されていた上記凹部が、当該一方の水平配設ピットカバー片２の移動により、右端に位置していた一方の水平配設ピットカバー片２により埋められる。つまり、移動前に凹部に隣接していた一方の水平配設ピットカバー片２が、移動後には、一方の垂直配設ピットカバー片２の最上部となる。
【００２８】
シャシーダイナモメータ装置１０Ａの右方向の移動により、一方において、シャシーダイナモメータ装置１０Ａと他方の水平配設ピットカバー片２と間には、ピットカバー片２の一つ分の開口部が発生する。
【００２９】
そこで、他方の水平配設ピットカバー片２を、右側に、ピットカバー片２の一つ分だけ移動させる。そうすると、他方の垂直配設ピットカバー片２の最上部において、ピットカバー片２の一つの厚さ分の凹部が生じる。
【００３０】
そこで、他方の垂直配設ピットカバー片２を図２の上方向に、ピットカバー片２の一つの厚さ分だけ、移動させる。これにより、他方の垂直配設ピットカバー片２の最上部において形成されていた上記凹部が、当該凹部の底面に位置していた他方の垂直配設ピットカバー片２により埋められる。
【００３１】
シャシーダイナモメータ装置１０Ａを、さらに図１，２の右方向に移動させる場合には、上記動作を繰り返し行う。
【００３２】
他方、上記と異なり、シャシーダイナモメータ装置１０Ａを、図１，２の左側に移動させる場合には、下記の動作が実施される。
【００３３】
この場合、他方の垂直配設ピットカバー片２を、図２の下側に、一つのピットカバー片２の厚さ分だけ移動させる。そうすると、他方の垂直配設ピットカバー片２において、最上部に、一つのピットカバー片２の厚さ分だけの凹部が生じる。
【００３４】
次に、レール４に沿って、シャシーダイナモメータ装置１０Ａを、ピットカバー片２の一つ分だけ、図１，２の左方向に移動させる。そうすると、当該シャシーダイナモメータ装置１０Ａの移動に伴い、当該シャシーダイナモメータ装置１０Ａに押されて、また隣接する他方の水平配設ピットカバー片２同士は、隣に位置するピットカバー片２に押されて、他方の水平配設ピットカバー片２は各々、ピットカバー片２の一つ分だけ、図１，２の左方向に移動する。ここで、当該他方の水平配設ピットカバー片２の移動は、レール３に沿って実行される。
【００３５】
他方の垂直配設ピットカバー片２の最上部において形成されていた上記凹部が、当該他方の水平配設ピットカバー片２の移動により、左端に位置していた他方の水平配設ピットカバー片２により埋められる。つまり、移動前に凹部に隣接していた他方の水平配設ピットカバー片２が、移動後には、他方の垂直配設ピットカバー片２の最上部となる。
【００３６】
シャシーダイナモメータ装置１０Ａの左方向の移動により、一方において、シャシーダイナモメータ装置１０Ａと一方の水平配設ピットカバー片２と間には、ピットカバー片２の一つ分の開口部が発生する。
【００３７】
そこで、一方の水平配設ピットカバー片２を、左側に、ピットカバー片２の一つ分だけ移動させる。そうすると、一方の垂直配設ピットカバー片２の最上部において、ピットカバー片２の一つの厚さ分の凹部が生じる。
【００３８】
そこで、一方の垂直配設ピットカバー片２を図２の上方向に、ピットカバー片２の一つの厚さ分だけ、移動させる。これにより、一方の垂直配設ピットカバー片２の最上部において形成されていた上記凹部が、当該凹部の底面に位置していた一方の垂直配設ピットカバー片２により埋められる。
【００３９】
シャシーダイナモメータ装置１０Ａを、さらに図１，２の左方向に移動させる場合には、上記動作を繰り返し行う。
【００４０】
次に、移動式のピットカバーシステムの具体的な構成および動作の説明を、その実施の形態を示す図面に基づいて具体的に説明する。なお、以下の各実施の形態の説明では、上記説明および図１，２の符号を引用する。
【００４１】
＜実施の形態１＞
図３は、上記一方の水平配設ピットカバー片２および上記一方の垂直配設ピットカバー片２の具体的な構成を示した。斜視図である。なお、図３では、図面簡略化の観点により、ピットカバー片２とレール３とピットカバー片２の移動させる装置のみを図示、それ以外の構成は省略している。
【００４２】
ここで、図３では図示を省略している、他方の水平配設ピットカバー片２および上記他方の垂直配設ピットカバー片２の具体的な構成は、以下で説明を行う、一方の水平配設ピットカバー片２および上記一方の垂直配設ピットカバー片２の具体的な構成と同じである。
【００４３】
図３に示す構成例では、ピットカバー片２は、ピット２０内からピット２０の上面（床面３０）に渡って、直角に配設されている。つまり、ピットカバー片２は、ピット２０の上面部位置からピット２０内部方向に沿って、垂直方向に、積み重なって配置されている、複数の垂直配設ピットカバー片２と、ピット２０の上面において水平方向に沿って配設されている、複数の水平配設ピットカバー片２とを、有する。なお、各ピットカバー片２は、同じ形状同じ大きさである。
【００４４】
ここで、上記垂直方向と上記水平方向とは、直角をなす。また、直角位置のピットカバー片２は、垂直配設ピットカバー片２であると共に、水平配設ピットカバー片２であるとも解することができる。つまり、床面３０と面一位置ある垂直配設ピットカバー片２は、水平配設ピットカバー片２であるとも解される。
【００４５】
また、最下段に位置する垂直配設ピットカバー片２は、垂直配設ピットカバー片２を上記垂直方向に移動させることが可能な第一のピットカバー移動装置１５に支持されている。ここで、第一のピットカバー移動装置１５は、シリンダー（以下、第一のシリンダー１５と称する）を採用することができる。図３に示すように、複数の垂直配設ピットカバー片２は、垂直方向に積み重なっており、最下段の垂直配設ピットカバー片２は、シリンダーである第一のピットカバー移動装置１５と当接している。
【００４６】
また、水平配設ピットカバー片２は、上記水平方向に延設されたレール３上を移動可能である。また、隣り合う水平配設ピットカバー片２同士は、当該水平方向において接触し合っている。
【００４７】
また、図３に示すように、水平配設ピットカバー片２を水平方向（シャシーダイナモメータ装置１０Ａの配置側に向けて）押し出す、第二のピットカバー移動装置１６が配設されている。ここで、第二のピットカバー移動装置１６は、シリンダー（以下、第二のシリンダー１６と称する）を採用することができる。
【００４８】
第二のシリンダー１６は、最上部（床面３０）に位置する垂直配設ピットカバー片２に対して、床面３０とシャシーダイナモメータ装置１０Ａとの間に形成された開口部を塞ぐように、水平方向に押し出す。そうすると、当該垂直配設ピットカバー片２の移動に共に、他の水平配設ピットカバー片２も、シャシーダイナモメータ装置１０Ａ側へと移動する。
【００４９】
図３に示す構成では、ピットカバー片２は、平板部２Ａと箱部２Ｂとから構成されている。箱部２Ｂは、平板部２Ａの下部に接続されている。また、箱部２Ｂは、図３に示すように、中空である。なお、垂直方向に積み重なっている状態において、一方の垂直配設ピットカバー片２の平板部２Ａの上には、他方の垂直配設ピットカバー片２の箱部２Ｂの底面が載置される。ここで、他方のピットカバー片２は、一方のピットカバー片２の真上に位置する。
【００５０】
次に、本実施の形態に係るピットカバーシステムの動作について説明する。
【００５１】
図３に示す状態において、第二のシリンダー１６は、最上部（床面３０）に位置する垂直配設ピットカバー片２を、床面３０に形成された開口部を塞ぐように、水平方向に押し出す。ここで、当該押し出しは、ピットカバー片２の一つ分だけ押し出す。なお、最上部（床面３０）に位置する垂直配設ピットカバー片２は、水平配設ピットカバー片２であるとも把握できる。当該押し出しにより、ピットカバー片２は、水平配設ピットカバー片２として、水平方向（シャシーダイナモメータ装置１０Ａ側の方向）へと、レール３上を移動する。図４は、上記押し出し動作後の様子を示す斜視図である。
【００５２】
図４に示すように、上記押し出し動作により、最上部となった垂直配設ピットカバー片２の上面と床面３０との間には、一つのピットカバー片２の厚さ分の凹部Ｈ１が形成される。
【００５３】
次に、図４に示した状態において、最下段を支持している第一のシリンダー１５は、垂直配設ピットカバー片２を、一つのピットカバー片２の厚さ分だけ上方向に移動させる。当該移動後の様子を、図５の斜視図に示す。
【００５４】
図５に示すように、最上部となった垂直配設ピットカバー片２が床面３０位置まで上昇することにより、上記凹部Ｈ１が消滅している。また、図５に示すように、最下段に位置する垂直配設ピットカバー片２は、第一のシリンダー１５により支持されている。
【００５５】
図３〜５で説明した動作を、床面３０に形成された開口部が塞がれるまで繰り返し行い、ピット２０内に収められているピットカバー片２を、次々と、床面３０位置で水平方向に移動させる。
【００５６】
なお、水平配設ピットカバー片２を、垂直配設ピットカバー片２としてピット２０内に収納させる場合には、図３〜５で説明した動作と逆の動作を行う。
【００５７】
つまり、図５の状態において、第一のシリンダー１５は、垂直配設ピットカバー片２を、一つのピットカバー片２の厚さ分だけ、下方向に移動する。これにより、図４の状態が形成される。その後、水平配設ピットカバー片２を、ピットカバー片２の一つ分だけ、第二のシリンダー１６の配設側に押し戻す。これにより、図３の状態となる。ここで、当該押し戻しの動作は、シャシーダイナモメータ装置１０Ａを移動させ、当該シャシーダイナモメータ装置１０Ａの移動により水平配設ピットカバー片２が押されることにより実現される。
【００５８】
なお、図３〜５で説明した逆の動作を繰り返し行うことにより、床面３０位置に配置されていた水平配設ピットカバー片２は、次々と、垂直配設ピットカバー片２として、ピット２０内へと収納される。
【００５９】
ここで、図３では図示を省略している、他方の水平配設ピットカバー片２および上記他方の垂直配設ピットカバー片２の動作は、上記した、一方の水平配設ピットカバー片２および上記一方の垂直配設ピットカバー片２の動作と同じである。
【００６０】
以上のように、本実施の形態に係るピットカバーシステムでは、上記構成を有し、上記動作を行う。つまり、本発明では、ピットカバー片２は、隣接するピットカバー片２と連結するための係合部材がなく、床面３０位置で水平方向に移動するピットカバー片２同士の連結処理および連結解除処理も行わない。したがって、本実施の形態に係るピットカバーシステムでは、単純な構成により、安定した動作を実現することができる。
【００６１】
また、本実施の形態に係るピットカバーシステムでは、ピットカバー片２は、ピット２０内からピット２０の上面（床面３０）に渡って、直角に配設されている。したがって、ピットカバー片２を床下に収納させるための余分なスペースを省略でき、ピット２０の縮小化が可能となる。
【００６２】
また、本実施の形態に係るピットカバーシステムでは、床面３０と垂直配設ピットカバー片２との間に空隙が生じない。上記動作から分かるように、動作の途中段階で凹部Ｈ１が生じたとしても、動作の終了状態では、当該凹部Ｈ１が消滅する。したがって、本実施の形態に係るピットカバーシステムでは、ピット２０上面の強度を維持することができる。
【００６３】
＜実施の形態２＞
本実施の形態においても、実施の形態１同様、ピット２０の上面部に形成された開口部を塞ぐことが可能な移動式のピットカバーシステムを提供する。本実施の形態においても、ピット２０の上面部位置（床面３０位置）からピット２０内部方向に沿って、垂直方向に配置されることが可能な複数の垂直配設ピットカバー片２を有する。そして、当該垂直配設ピットカバー片２を、当該垂直方向に移動させることが可能な、第一のピットカバー移動装置を有する。また、最上部に位置する垂直配設ピットカバー片２を、開口部を塞ぐように、水平方向に押し出すことが可能な第二のピットカバー移動装置を有する。
【００６４】
また、ピット２０内に収納されている垂直配設ピットカバー片２を、床面３０に形成されている開口部を塞ぐために、当該床面３０に送り出す場合には、本実施の形態に係るピットカバーシステムの動作においても、次の動作を行う。つまり、第二のピットカバー移動装置は、最上部に位置する垂直配設ピットカバー片２を水平方向に押し出す。そして、その後、第一のピットカバー移動装置は、垂直配設ピットカバー片２を上方向に移動させる。
【００６５】
ただし、本実施の形態では、第一のピットカバー移動装置の具体的な構成、および、垂直配設ピットカバー片２を垂直方向に移動させる具体的な動作手法が、実施の形態１で説明したものと相違する。当該相違を含めて、本実施の形態に係る移動式ピットカバーシステムの構成および動作について、下記にて説明する。
【００６６】
図６は、上記一方の水平配設ピットカバー片２および上記一方の垂直配設ピットカバー片２および第一のピットカバー移動装置の、具体的な本実施の形態に係る構成を示した斜視図である。なお、図６では、図面簡略化の観点により、ピットカバー片２、レール３、および第一のピットカバー移動装置の一部のみを図示しており、それ以外の構成は省略している。
【００６７】
ここで、図６では図示を省略している、他方の水平・垂直配設ピットカバー片２側においても、以下で説明を行う図６と同じ構成である。
【００６８】
図６に示す構成例では、ピットカバー片２は、ピット２０内からピット２０の上面（床面３０）に渡って、直角に配設されている。つまり、本実施の形態においても、ピットカバー片２は、ピット２０の上面部位置からピット２０内部方向に沿って、垂直方向に、積み重なって配置されている、複数の垂直配設ピットカバー片２と、ピット２０の上面において水平方向に沿って配設されている、複数の水平配設ピットカバー片２とを、有する。なお、各ピットカバー片２は、同じ形状同じ大きさである。
【００６９】
また、本実施の形態においても、ピットカバー片２は、平板部２Ａと箱部２Ｂとから構成されている。箱部２Ｂは、平板部２Ａの下部に接続されている。また、実施の形態１で説明したように、箱部２Ｂは中空である。なお、垂直方向に配設されている状態において、一方の垂直配設ピットカバー片２の平板部２Ａの上面と、他方の垂直配設ピットカバー片２の箱部２Ｂの底面とが対面している。ここで、他方のピットカバー片２は、一方のピットカバー片２の真上に位置する。
【００７０】
ここで、上記垂直方向と上記水平方向とは、直角をなす。また、直角位置のピットカバー片２は、垂直配設ピットカバー片２であると共に、水平配設ピットカバー片２であるとも解することができる。つまり、床面３０と面一位置ある垂直配設ピットカバー片２は、水平配設ピットカバー片２であるとも解される。
【００７１】
また、本実施の形態では、垂直配設ピットカバー片２は、第一のピットカバー移動装置を構成している、第一の保持部１５Ａ，１５Ｂ，１５Ｃ，１５Ｄおよび第二の保持部１５Ｈ，１５Ｌにより、保持（支持）されている。
【００７２】
ここで、本実施の形態では、第一のピットカバー移動装置は、第一の保持部１５Ａ，１５Ｂ，１５Ｃ，１５Ｄおよび第二の保持部１５Ｈ，１５Ｌに加えて、第一の保持部移動装置および第二の保持部移動装置を有している。なお、図面簡略化のために、第一の保持部移動装置および第二の保持部移動装置の図示は省略している。第一の保持部移動装置は、第一の保持部１５Ａ，１５Ｂ，１５Ｃ，１５Ｄを移動させることが可能である。これに対して、第二の保持部移動装置は、第二の保持部１５Ｈ，１５Ｌを移動させることが可能である。
【００７３】
図７は、第一の保持部１５Ａ，１５Ｄ（または、第一の保持部１５Ｂ，１５Ｃ）の構成を示す断面図である。また、図８は、第二の保持部１５Ｈ，１５Ｌの構成を示す断面図である。
【００７４】
第一の保持部１５Ａ，１５Ｂ，１５Ｃ，１５Ｄは櫛状である。つまり、図７に示すように、第一の保持部１５Ａ，１５Ｂ，１５Ｃ，１５Ｄは、基軸部ｐ１と、ピットカバー片２が載置される複数の第一の載置部ｍ１とを有する。ここで、基軸部ｐ１は、ピット２０内において垂直方向に延びている。また、第一の載置部ｍ１は、基軸部ｐ１に対して、上記垂直方向に沿って、所定の間隔だけ隔てて、櫛歯状に配設されている。
【００７５】
第一の保持部１５Ａと第一の保持部１５Ｄとは、第一の保持部１５Ａに配設されている第一の載置部ｍ１と第一の保持部１５Ｄに配設されている第一の載置部ｍ１とが対面するように、対面している（図６，７参照）。さらに、第一の保持部１５Ｂと第一の保持部１５Ｃとは、第一の保持部１５Ｂに配設されている第一の載置部ｍ１と第一の保持部１５Ｃに配設されている第一の載置部ｍ１とが対面するように、対面している（図６，７参照）。
【００７６】
また、第一の保持部１５Ａと第一の保持部１５Ｂとは、所定の間隔だけ隔てて、隣接している（図６参照）。さらに、第一の保持部１５Ｃと第一の保持部１５Ｄとは、所定の間隔だけ隔てて、隣接している（図６参照）。
【００７７】
なお、第一の保持部１５Ａ，１５Ｂ，１５Ｃ，１５Ｄは、第一の保持部移動装置により、図７の上下方向および左右方向に移動することができる。また、第一の保持部１５Ａの第一の載置部ｍ１、第一の保持部１５Ｂの第一の載置部ｍ１、第一の保持部１５Ｃの第一の載置部ｍ１および第一の保持部１５Ｄの第一の載置部ｍ１により、各垂直配設ピットカバー片２は支持（載置）される（図６参照）。したがって、図６に示すように、各垂直配設ピットカバー片２が水平に支持（載置）されるように、各第一の載置部ｍ１の高さ位置は揃っている。
【００７８】
第二の保持部１５Ｈ，１５Ｌは櫛状である。つまり、図８に示すように、第二の保持部１５Ｈ，１５Ｌは、基軸部ｑ１と、ピットカバー片２が載置される複数の第二の載置部ｎ１とを有する。ここで、基軸部ｑ１は、ピット２０内において垂直方向に延びている。また、第二の載置部ｎ１は、基軸部ｑ１に対して、上記垂直方向に沿って、所定の間隔だけ隔てて、櫛歯状に配設されている。
【００７９】
第二の保持部１５Ｈと第二の保持部１５Ｌとは、第二の保持部１５Ｈに配設されている第二の載置部ｎ１と第二の保持部１５Ｌに配設されている第二の載置部ｎ１とが対面するように、対面している（図６，８参照）。
【００８０】
また、第二の保持部１５Ｈは、図６に示すように、第一の保持部１５Ａと第一の保持部１５Ｂとの間に形成された所定の間隔に、挿入されることが可能である。同様に、第二の保持部１５Ｌは、図６に示すように、第一の保持部１５Ｃと第一の保持部１５Ｄとの間に形成された所定の間隔に、挿入されることが可能である。
【００８１】
つまり、各垂直配設ピットカバー片２が各保持部１５Ａ，１５Ｂ，１５Ｃ，１５Ｄ，１５Ｈ，１５Ｌにより保持されている状態において、第一の保持部１５Ａと第二の保持部１５Ｈとは隣接しており、第一の保持部１５Ｂと第二の保持部１５Ｈとは隣接しており、第一の保持部１５Ｃと第二の保持部１５Ｌとは隣接しており、第一の保持部１５Ｄと第二の保持部１５Ｌとは隣接している（図６参照）。
【００８２】
なお、第二の保持部１５Ｈ，１５Ｌは、第二の保持部移動装置により、図８の上下方向および左右方向に移動することができる。また、第二の保持部１５Ｈの第二の載置部ｎ１および第二の保持部１５Ｌの第二の載置部ｎ１により、各垂直配設ピットカバー片２は支持（載置）される（図６参照）。したがって、図６に示すように、各垂直配設ピットカバー片２が水平に支持（載置）されるように、各第二の載置部ｎ１の高さ位置は揃っている。また、図６に示すように、各垂直配設ピットカバー片２が各保持部１５Ａ，１５Ｂ，１５Ｃ，１５Ｄ，１５Ｈ，１５Ｌにより保持されている状態において、隣接するおよび対面する各載置部ｍ１，ｎ１の高さ位置は揃っている。
【００８３】
図６に示すように、各載置部ｍ１，ｎ１に各垂直配設ピットカバー片２が載置されることにより、ピット２０内において、垂直配設設ピットカバー片２は上記垂直方向に配置される。
【００８４】
また、本実施の形態においても、水平配設ピットカバー片２は、上記水平方向に延設されたレール３上を移動可能である（図６参照）。また、隣り合う水平配設ピットカバー片２同士は、当該水平方向において接触し合っている。
【００８５】
また、実施の形態１でも説明したように、本実施の形態においても、水平配設ピットカバー片２を水平方向（シャシーダイナモメータ装置１０Ａの配置側に向けて）押し出す、第二のピットカバー移動装置（図３の符号１６参照）が配設されている。ここで、第二のピットカバー移動装置は、シリンダーを採用することができる。
【００８６】
第二のピットカバー移動装置は、最上部（床面３０）に位置する垂直配設ピットカバー片２に対して、床面３０とシャシーダイナモメータ装置１０Ａとの間に形成された開口部を塞ぐように、水平方向に押し出す。そうすると、当該垂直配設ピットカバー片２の移動に共に、他の水平配設ピットカバー片２も、シャシーダイナモメータ装置１０Ａ側へと移動する。
【００８７】
次に、本実施の形態に係るピットカバーシステムの動作について説明する。
【００８８】
図９，１０，１１は、動作の初期状態を示す図である。ここで、図９は、当該初期状態の様子を示す斜視図である。また、図９の構成図をシャシーダイナモメータ装置１０Ａの配置側に向けて眺めた図（つまり、図９のＸ方向から眺めた正面図）が、図１０である。また、図９の構成図をピット２０内に向けて眺めた図（つまり、図９のＹ方向から眺めた上面図）が、図１１である。
【００８９】
図９，１０に示すように、初期状態では、全てのピットカバー片２が、垂直配設ピットカバー片２として、ピット２０内に収納されている。また、第一の保持部１５Ａ，１５Ｂと第二の保持部１５Ｈとは隣接しており、第一の保持部１５Ｃ，１５Ｄと第二の保持部１５Ｌとは隣接している。また、各垂直配設ピットカバー片２は、第一の載置部ｍ１および第二の載置部ｎ１上に載置されることにより（図９，１１参照）、図９，１０に示すように、当該垂直配設ピットカバー片２は、ピット２０内において垂直方向に順次配置されている。
【００９０】
また、初期状態では、第一の保持部１５Ａ，１５Ｂ，１５Ｃ，１５Ｄの最上部に配設されている第一の載置部ｍ１に載置されている垂直配設ピットカバー片２は、床面３０と面一となっている。また、第二の保持部１５Ｈ，１５Ｌの最上部の第二の載置部ｎ１は、第一の保持部１５Ａ，１５Ｂ，１５Ｃ，１５Ｄの最上部の第一の載置部ｍ１よりも、一つのピットカバー片２の厚さの分だけ（１段分）、下がった位置に存する（図９参照）。
【００９１】
つまり、初期状態では、最上部の垂直配設ピットカバー片２は、第一の保持部１５Ａ，１５Ｂ，１５Ｃ，１５Ｄの最上部の第一の載置部ｍ１のみにより保持されており、上から２番目以降の各垂直配設ピットカバー片２は、第一の保持部１５Ａ，１５Ｂ，１５Ｃ，１５Ｄの第一の載置部ｍ１および第二の保持部１５Ｈ，１５Ｌの第二の載置部ｎ１の両方により、保持されている。
【００９２】
図９，１０，１１に示す状態において、第二のピットカバー移動装置（図示せず）は、最上部（床面３０）に位置する垂直配設ピットカバー片２を、床面３０に形成された開口部を塞ぐように、水平方向に押し出す。ここで、当該押し出しは、ピットカバー片２の一つ分だけ押し出す。なお、最上部（床面３０）に位置する垂直配設ピットカバー片２は、水平配設ピットカバー片２であるとも把握できる。当該押し出しにより、ピットカバー片２は、水平配設ピットカバー片２として、水平方向（シャシーダイナモメータ装置１０Ａ側の方向）へと、レール３上を移動する。
【００９３】
図１２，１３は、上記押し出し動作後の様子を示す図である。ここで、図１２は、当該押し出し動作後の様子を示す斜視図である。また、図１２の構成図をピット２０内に向けて眺めた図（つまり、図１２のＹ方向から眺めた上面図）が、図１３である。
【００９４】
図１２に示すように、上記押し出し動作により、最上部となった垂直配設ピットカバー片２の上面と床面３０との間には、一つのピットカバー片２の厚さ分の凹部Ｈ１が形成される。
【００９５】
次に、垂直配設ピットカバー片２が第一の載置部ｍ１および第二の載置部ｎ１の両方に保持されている状態において、第一の保持部移動装置（図示せず）は、第一の保持部１５Ａ，１５Ｂ，１５Ｃ，１５Ｄを、第一の載置部ｍ１による垂直配設ピットカバー片２の載置を解消する方向に移動させる。
【００９６】
図１４，１５，１６は、第一の載置部ｍ１による垂直配設ピットカバー片２の載置解消動作（以後、第一の載置解消動作と称する）後の様子を示す図である。ここで、図１４は、当該第一の載置解消動作後の様子を示す斜視図である。また、図１４の構成図をシャシーダイナモメータ装置１０Ａの配置側に向けて眺めた図（つまり、図１４のＸ方向から眺めた正面図）が、図１５である。また、図１４の構成図をピット２０内に向けて眺めた図（つまり、図１４のＹ方向から眺めた上面図）が、図１６である。
【００９７】
図１４〜１６に示すように、第一の保持部移動装置が、第一の保持部１５Ａ，１５Ｂ，１５Ｃ，１５Ｄを、図１５，１６の左右方向に移動させ、第一の保持部１５Ａ，１５Ｂと第二の保持部１５Ｈとの隣接を解消させ、第一の保持部１５Ｃ，１５Ｄと第二の保持部１５Ｌとの隣接を解消させる。当該移動により、第一の載置部ｍ１による垂直配設ピットカバー片２の載置は解消される。そして、図１４，１５に示すように、第二の載置部ｎ１のみによって垂直配設ピットカバー片２が保持されている。
【００９８】
次に、第二の載置部ｎ１のみによって垂直配設ピットカバー片２が保持されている状態において、第二の保持部移動装置（図示せず）は、第二の保持部１５Ｈ，１５Ｌを上方向（床面３０に向かう方向）に移動させる。
【００９９】
図１７，１８は、第二の保持部１５Ｈ，１５Ｌを上方向に移動させた後の様子を示す図である。ここで、図１７は、第二の保持部１５Ｈ，１５Ｌを上方向に移動させた後の様子を示す斜視図である。また、図１７の構成図をシャシーダイナモメータ装置１０Ａの配置側に向けて眺めた図（つまり、図１７のＸ方向から眺めた正面図）が、図１８である。
【０１００】
図１７，１８に示すように、第二の保持部移動装置が、第二の保持部１５Ｈ，１５Ｌを、一つのピットカバー片２の厚さ分だけ上方向に移動させる。これにより、最上部に位置していた垂直配設ピットカバー片２が床面３０位置まで上昇、上述した凹部Ｈ１が消滅する。図１７，１８に示すように、当該移動により、第二の保持部１５Ｈ，１５Ｌの最上部の第二の載置部ｎ１と、第一の保持部１５Ａ，１５Ｂ，１５Ｃ，１５Ｄの最上部の第一の載置部ｍ１とは、同じ高さ位置となる。
【０１０１】
次に、垂直配設ピットカバー片２が第二の載置部ｎ１のみにより保持されている状態において、第一の保持部移動装置（図示せず）は、第一の保持部１５Ａ，１５Ｂ，１５Ｃ，１５Ｄを、第一の載置部ｍ１による垂直配設ピットカバー片２の載置が可能な方向に移動させる。
【０１０２】
図１９，２０，２１は、第一の載置部ｍ１による垂直配設ピットカバー片２の載置再開動作（以後、第一の載置再開動作と称する）後の様子を示す図である。ここで、図１９は、当該第一の載置再開動作後の様子を示す斜視図である。また、図１９の構成図をシャシーダイナモメータ装置１０Ａの配置側に向けて眺めた図（つまり、図１９のＸ方向から眺めた正面図）が、図２０である。また、図１９の構成図をピット２０内に向けて眺めた図（つまり、図１９のＹ方向から眺めた上面図）が、図２１である。
【０１０３】
図１９〜２１に示すように、第一の保持部移動装置が、第一の保持部１５Ａ，１５Ｂ，１５Ｃ，１５Ｄを、図２０，２１の左右方向に移動させ、第二の保持部１５Ｈを第一の保持部１５Ａ，１５Ｂに隣接させ、第二の保持部１５Ｌを第一の保持部１５Ｃ，１５Ｄに隣接させる。当該第一の保持部１５Ａ，１５Ｂ，１５Ｃ，１５Ｄの移動により、垂直配設ピットカバー片２は、第一の載置部ｍ１および第二の載置部ｎ１の両方によって保持される（図１９〜２１参照）。
【０１０４】
さらに、当該移動により、最上部の垂直配設ピットカバー片２は、第一の保持部１５Ａ，１５Ｂ，１５Ｃ，１５Ｄの最上部の第一の載置部ｍ１および第二の保持部１５Ｈ，１５Ｌの最上部の第二の載置部ｎ１の両方により、保持される。
【０１０５】
次に、垂直配設ピットカバー片２が第一の載置部ｍ１および第二の載置部ｎ１の両方に保持されている状態において、第二の保持部移動装置（図示せず）は、第二の保持部１５Ｈ，１５Ｌを、第二の載置部ｎ１による垂直配設ピットカバー片２の載置を解消する方向に移動させる。
【０１０６】
図２２，２３，２４は、第二の載置部ｎ１による垂直配設ピットカバー片２の載置解消動作（以後、第二の載置解消動作と称する）後の様子を示す図である。ここで、図２２は、当該第二の載置解消動作後の様子を示す斜視図である。また、図２２の構成図をシャシーダイナモメータ装置１０Ａの配置側に向けて眺めた図（つまり、図２２のＸ方向から眺めた正面図）が、図２３である。また、図２２の構成図をピット２０内に向けて眺めた図（つまり、図２２のＹ方向から眺めた上面図）が、図２４である。
【０１０７】
図２２〜２４に示すように、第二の保持部移動装置が、第二の保持部１５Ｈ，１５Ｌを、図２３，２４の左右方向に移動させ、第一の保持部１５Ａ，１５Ｂと第二の保持部１５Ｈとの隣接を解消させ、第一の保持部１５Ｃ，１５Ｄと第二の保持部１５Ｌとの隣接を解消させる。当該移動により、第二の載置部ｎ１による垂直配設ピットカバー片２の載置は解消される。そして、図２２，２３に示すように、第一の載置部ｍ１のみによって垂直配設ピットカバー片２が保持されている。
【０１０８】
次に、第一の載置部ｍ１のみによって垂直配設ピットカバー片２が保持されている状態において、第二の保持部移動装置（図示せず）は、第二の保持部１５Ｈ，１５Ｌを下方向（ピット２０の底面に向かう方向）に移動させる。
【０１０９】
図２５，２６は、第二の保持部１５Ｈ，１５Ｌを下方向に移動させた後の様子を示す図である。ここで、図２５は、第二の保持部１５Ｈ，１５Ｌを下方向に移動させた後の様子を示す斜視図である。また、図２５の構成図をシャシーダイナモメータ装置１０Ａの配置側に向けて眺めた図（つまり、図２５のＸ方向から眺めた正面図）が、図２６である。
【０１１０】
図２５，２６に示すように、第二の保持部移動装置が、第二の保持部１５Ｈ，１５Ｌを、一つのピットカバー片２の厚さ分だけ下方向に移動させる。図２５，２６に示すように、当該移動により、第二の保持部１５Ｈ，１５Ｌの最上部の第二の載置部ｎ１は、第一の保持部１５Ａ，１５Ｂ，１５Ｃ，１５Ｄの最上部の第一の載置部ｍ１よりも、一段分低い位置となる。
【０１１１】
次に、垂直配設ピットカバー片２が第一の載置部ｍ１のみにより保持されている状態において、第二の保持部移動装置（図示せず）は、第二の保持部１５Ｈ，１５Ｌを、第二の載置部ｎ１による垂直配設ピットカバー片２の載置が可能な方向に移動させる。
【０１１２】
図２７，２８，２９は、第二の載置部ｎ１による垂直配設ピットカバー片２の載置再開動作（以後、第二の載置再開動作と称する）後の様子を示す図である。ここで、図２７は、当該第二の載置再開動作後の様子を示す斜視図である。また、図２７の構成図をシャシーダイナモメータ装置１０Ａの配置側に向けて眺めた図（つまり、図２７のＸ方向から眺めた正面図）が、図２８である。また、図２７の構成図をピット２０内に向けて眺めた図（つまり、図２７のＹ方向から眺めた上面図）が、図２９である。
【０１１３】
図２７〜２９に示すように、第二の保持部移動装置が、第二の保持部１５Ｈ，１５Ｌを、図２８，２９の左右方向に移動させ、第二の保持部１５Ｈを第一の保持部１５Ａ，１５Ｂに隣接させ、第二の保持部１５Ｌを第一の保持部１５Ｃ，１５Ｄに隣接させる。当該第二の保持部１５Ｈ，１５Ｌの移動により、垂直配設ピットカバー片２は、第一の載置部ｍ１および第二の載置部ｎ１の両方によって保持される（図２７〜２９参照）。
【０１１４】
さらに、第一の保持部１５Ａ，１５Ｂ，１５Ｃ，１５Ｄの最上部に配設されている第一の載置部ｍ１に載置されている垂直配設ピットカバー片２は、床面３０と面一となっている。一方で、第二の保持部１５Ｈ，１５Ｌの最上部の第二の載置部ｎ１は、第一の保持部１５Ａ，１５Ｂ，１５Ｃ，１５Ｄの最上部の第一の載置部ｍ１よりも、一段分下がった位置に存する（図２７参照）。
【０１１５】
つまり、最上部の垂直配設ピットカバー片２は、第一の保持部１５Ａ，１５Ｂ，１５Ｃ，１５Ｄの最上部の第一の載置部ｍ１のみにより保持されており、上から２番目以降の各垂直配設ピットカバー片２は、第一の保持部１５Ａ，１５Ｂ，１５Ｃ，１５Ｄの第一の載置部ｍ１および第二の保持部１５Ｈ，１５Ｌの第二の載置部ｎ１の両方により、保持されている。
【０１１６】
図９〜２９で説明した動作を、床面３０に形成された開口部が塞がれるまで繰り返し行い、ピット２０内に収められているピットカバー片２を、次々と、床面３０位置で水平方向に移動させる。
【０１１７】
なお、水平配設ピットカバー片２を、垂直配設ピットカバー片２としてピット２０内に収納させる場合には、図９〜２９で説明した動作と逆の動作を行う。
【０１１８】
つまり、第一の保持部移動装置および第二の保持部移動装置により、第一の保持部１５Ａ，１５Ｂ，１５Ｃ，１５Ｄおよび第二の保持部１５Ｈ，１５Ｌの上下左右移動を組み合わせて行う。そして、図１２に示したように、最上部となった垂直配設ピットカバー片２の上面と床面３０との間には、一つのピットカバー片２の厚さ分の凹部Ｈ１を形成する。その後、水平配設ピットカバー片２を、ピットカバー片２の一つ分だけ、垂直配設ピットカバー片２の上方まで押し戻す。ここで、当該押し戻しの動作は、シャシーダイナモメータ装置１０Ａを移動させ、当該シャシーダイナモメータ装置１０Ａの移動により水平配設ピットカバー片２が押されることにより実現される。
【０１１９】
なお、図９〜２９で説明した逆の動作を繰り返し行うことにより、床面３０位置に配置されていた水平配設ピットカバー片２は、次々と、垂直配設ピットカバー片２として、ピット２０内へと収納される。
【０１２０】
ここで、上記他方の水平配設ピットカバー片２および上記他方の垂直配設ピットカバー片２の動作は、上記した、一方の水平配設ピットカバー片２および上記一方の垂直配設ピットカバー片２の動作と同じである。
【０１２１】
以上のように、本実施の形態に係るピットカバーシステムでは、上記構成を有し、上記動作を行う。つまり、本発明では、ピットカバー片２は、隣接するピットカバー片２と連結するための係合部材がなく、床面３０位置で水平方向に移動するピットカバー片２同士の連結処理および連結解除処理も行わない。したがって、本実施の形態に係るピットカバーシステムでは、単純な構成により、安定した動作を実現することができる。
【０１２２】
また、本実施の形態に係るピットカバーシステムでは、ピットカバー片２は、ピット２０内からピット２０の上面（床面３０）に渡って、直角に配設されている。したがって、ピットカバー片２を床下に収納させるための余分なスペースを省略でき、ピット２０の縮小化が可能となる。
【０１２３】
特に、本実施の形態では、第一の保持部移動装置および第二の保持部移動装置により、第一の保持部１５Ａ，１５Ｂ，１５Ｃ，１５Ｄおよび第二の保持部１５Ｈ，１５Ｌを、一つのピットカバー片２の厚さ分程度上下移動させるだけである。したがって、実施の形態１に係るピットカバーシステムをピット２０内に配設させる場合に比べて、本実施の形態に係るピットカバーシステムをピット２０内に配設させた場合の方が、ピット２０の深さを浅く設定することができる。つまり、本実施の形態では、更なるピット２０の縮小化が可能となる。
【０１２４】
また、本実施の形態に係るピットカバーシステムでは、床面３０と垂直配設ピットカバー片２との間に空隙が生じない。上記動作から分かるように、動作の途中段階で凹部Ｈ１が生じたとしても、動作の終了状態では、当該凹部Ｈ１が消滅する。したがって、本実施の形態に係るピットカバーシステムでは、ピット２０上面の強度を維持することができる。
【０１２５】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１２６】
１  ローラ
２  ピットカバー片、垂直配設ピットカバー片、水平配設ピットカバー片
２Ａ  平板部
２Ｂ  箱部
３，４  レール
Ｈ１  凹部
１０Ａ，１０Ｂ  シャシーダイナモメータ装置
１５  第一のピットカバー移動装置
１５Ａ，１５Ｂ，１５Ｃ，１５Ｄ  第一の保持部
１５Ｈ，１５Ｌ  第二の保持部
１６  第二のピットカバー移動装置
２０  ピット
３０  床面
ｍ１  第一の載置部
ｎ１  第二の載置部
ｐ１，ｑ１  基軸部
【図１】
2014196025.tif 000003
【図２】
2014196025.tif 000004
【図３】
2014196025.tif 000005
【図４】
2014196025.tif 000006
【図５】
2014196025.tif 000007
【図６】
2014196025.tif 000008
【図７】
2014196025.tif 000009
【図８】
2014196025.tif 000010
【図９】
2014196025.tif 000011
【図１０】
2014196025.tif 000012
【図１１】
2014196025.tif 000013
【図１２】
2014196025.tif 000014
【図１３】
2014196025.tif 000015
【図１４】
2014196025.tif 000016
【図１５】
2014196025.tif 000017
【図１６】
2014196025.tif 000018
【図１７】
2014196025.tif 000019
【図１８】
2014196025.tif 000020
【図１９】
2014196025.tif 000021
【図２０】
2014196025.tif 000022
【図２１】
2014196025.tif 000023
【図２２】
2014196025.tif 000024
【図２３】
2014196025.tif 000025
【図２４】
2014196025.tif 000026
【図２５】
2014196025.tif 000027
【図２６】
2014196025.tif 000028
【図２７】
2014196025.tif 000029
【図２８】
2014196025.tif 000030
【図２９】
2014196025.tif 000031
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
ピット（２０）の上面部に配設された開口部を塞ぐことが可能な移動式のピットカバーシステムであって、
前記ピットの前記上面部位置から前記ピット内部方向に沿って、垂直方向に配置されることが可能な複数のピットカバー片（２）と、
前記垂直方向に配設される前記複数のピットカバー片を、前記垂直方向に移動させることが可能な、第一のピットカバー移動装置（１５）と、
前記垂直方向に配置されている前記複数のピットカバー片のうち、最上部に位置する前記ピットカバー片を、前記開口部を塞ぐように、前記垂直方向に対して直角な方向である水平方向に押し出すことが可能な、第二のピットカバー移動装置（１６）とを、備えており、
（Ａ）前記第二のピットカバー移動装置は、前記最上部に位置する前記ピットカバー片を、ピットカバー片一つ分だけ前記水平方向に押し出し、
（Ｂ）前記（Ａ）の後に、前記第一のピットカバー移動装置は、前記垂直方向に配設される前記複数のピットカバー片を、一つのピットカバー片の厚さ分だけ上方向に移動させる、
ことを特徴とするピットカバーシステム。
【請求項２】
前記ピットカバー片は、
前記ピットの前記上面部位置から前記ピット内部方向に沿って、前記垂直方向に、積み重なって配置されており、
前記第一のピットカバー移動装置は、
前記積み重なっている前記ピットカバー片を、上方向に移動させることができる第一のシリンダー（１５）であり、
前記第二のピットカバー移動装置は、
前記積み重なっている前記ピットカバー片のうち、前記最上部に位置する前記ピットカバー片を、前記水平方向に押し出すことができる第二のシリンダー（１６）である、
ことを特徴とする請求項１に記載のピットカバーシステム。
【請求項３】
前記第一のピットカバー移動装置は、
前記垂直方向に所定の間隔だけ隔てて配設されている複数の第一の載置部（ｍ１）を有する櫛状の第一の保持部（１５Ａ，１５Ｂ，１５Ｃ，１５Ｄ）と、
前記垂直方向に所定の間隔だけ隔てて配設されている複数の第二の載置部（ｎ１）を有する櫛状であり、前記第一の保持部に隣接して配置される第二の保持部（１５Ｈ，１５Ｌ）と、
前記第一の保持部を移動させることが可能な第一の保持部移動装置と、
前記第二の保持部を移動させることが可能な第二の保持部移動装置とを、有しており、
前記垂直方向に配置されている前記複数の前記ピットカバー片において、各前記ピットカバー片は、
前記第一の載置部および前記第二の載置部の少なくとも一方に載置されている、
ことを特徴とする請求項１に記載のピットカバーシステム。
【請求項４】
（ａ）前記第一の載置部および前記第二の載置部の両方において、前記ピットカバー片が保持されている状態において、前記第一の保持部移動装置は、前記第一の保持部を、前記第一の載置部による前記ピットカバー片の載置を解消する方向に移動させ、
（ｂ）前記（ａ）の後、前記第二の保持部移動装置は、前記第二の載置部により前記ピットカバー片が保持されている状態で、前記第二の保持部を前記上方向に移動させ、
（ｃ）前記（ｂ）の後、前記第一の保持部移動装置は、前記第一の保持部を、前記第一の載置部により前記ピットカバー片を載置できる方向に移動させる、
ことを特徴とする請求項３に記載のピットカバーシステム。
【請求項５】
（ｄ）前記（ｃ）の後、前記第二の保持部移動装置は、前記第二の保持部を、前記第二の載置部による前記ピットカバー片の載置を解消する方向に移動させ、
（ｅ）前記（ｄ）の後、前記第二の保持部移動装置は、前記第二の保持部を下方向に移動させ、
（ｆ）前記（ｅ）の後、前記第二の保持部移動装置は、前記第二の保持部を、前記第二の載置部により前記ピットカバー片を載置できる方向に移動させる、
ことを特徴とする請求項４に記載のピットカバーシステム。
【請求項６】
前記第二のピットカバー移動装置は、
垂直方向に配置される前記複数のピットカバー片のうち、前記最上部に位置する前記ピットカバー片を、前記水平方向に押し出すことができるシリンダーである、
ことを特徴とする請求項３に記載のピットカバーシステム。
【手続補正２】
【補正対象書類名】明細書
【補正対象項目名】０００９
【補正方法】変更
【補正の内容】
【０００９】
上記の目的を達成するために、本発明に係るピットカバーシステムは、ピットの上面部に配設された開口部を塞ぐことが可能な移動式のピットカバーシステムであって、前記ピットの前記上面部位置から前記ピット内部方向に沿って、垂直方向に配置されることが可能な複数のピットカバー片と、前記垂直方向に配設される前記複数のピットカバー片を、前記垂直方向に移動させることが可能な、第一のピットカバー移動装置と、前記垂直方向に配置されている前記複数のピットカバー片のうち、最上部に位置する前記ピットカバー片を、前記開口部を塞ぐように、前記垂直方向に対して直角な方向である水平方向に押し出すことが可能な、第二のピットカバー移動装置とを、備えており、（Ａ）前記第二のピットカバー移動装置は、前記最上部に位置する前記ピットカバー片を、ピットカバー片一つ分だけ前記水平方向に押し出し、（Ｂ）前記（Ａ）の後に、前記第一のピットカバー移動装置は、前記垂直方向に配設される前記複数のピットカバー片を、一つのピットカバー片の厚さ分だけ上方向に移動させる。
【手続補正３】
【補正対象書類名】明細書
【補正対象項目名】００１０
【補正方法】変更
【補正の内容】
【００１０】
本発明に係るピットカバーシステムは、ピットの上面部に配設された開口部を塞ぐことが可能な移動式のピットカバーシステムであって、前記ピットの前記上面部位置から前記ピット内部方向に沿って、垂直方向に配置されることが可能な複数のピットカバー片と、前記垂直方向に配設される前記複数のピットカバー片を、前記垂直方向に移動させることが可能な、第一のピットカバー移動装置と、前記垂直方向に配置されている前記複数のピットカバー片のうち、最上部に位置する前記ピットカバー片を、前記開口部を塞ぐように、前記垂直方向に対して直角な方向である水平方向に押し出すことが可能な、第二のピットカバー移動装置とを、備えており、（Ａ）前記第二のピットカバー移動装置は、前記最上部に位置する前記ピットカバー片を、ピットカバー片一つ分だけ前記水平方向に押し出し、（Ｂ）前記（Ａ）の後に、前記第一のピットカバー移動装置は、前記垂直方向に配設される前記複数のピットカバー片を、一つのピットカバー片の厚さ分だけ上方向に移動させる。
【国際調査報告】
2014196025.tif 000032
2014196025.tif 000033